(57)【要約】【課題】ＥＲ流体を利用した表示装置において、改善されたコントラストを有する表示装置を提供すること。【解決手段】対向して配置される第一の基板２及び第二の基板３と、これらの基板の間に保持されるＥＲ流体５とを有する表示装置において、有色の絶縁性流体５ｂを用いてコントラストを高める。好ましくは、第一の基板２側に固体粒子５ａを分極させてブリッジ形成させる第一の電界発生手段２１と、第二の基板３側でブリッジ形成させる第二の電界発生手段３１とを設ける。固体粒子５ａは、第一の基板２又は第二の基板３に平行な面を形成するようにブリッジを形成する。【選択図】図５
2008096524.tif 000002
【特許請求の範囲】
【請求項１】
対向して配置される第一の基板及び第二の基板と、
前記第一の基板と前記第二の基板との間に保持されるエレクトロレオロジー流体と、を有する表示装置であって、
前記エレクトロレオロジー流体は、有色の絶縁性の液体中に固体粒子を含有している表示装置。
【請求項２】
前記エレクトロレオロジー流体に電圧を印加することにより、前記固体粒子に前記第一の基板側でブリッジを形成させる第一の電界発生手段と、
前記エレクトロレオロジー流体層に電圧を印加することにより、前記固体粒子に前記第二の基板側でブリッジを形成させる第二の電界発生手段と、をさらに有する請求項１に記載の表示装置。
【請求項３】
前記第一の電界発生手段は、前記第一の基板の片側面であって前記エレクトロレオロジー流体に面する内側面に設けられる第一の電極対を有し、
前記第二の電界発生手段は、前記第二の基板の片側面であって前記エレクトロレオロジー流体に面する内側面に設けられる第二の電極対を有する請求項１又は２に記載の表示装置。
【発明の詳細な説明】
【技術分野】
【０００１】
本発明は、表示装置に関し、特に、エレクトロレオロジー流体を用いた表示装置に関する。
【背景技術】
【０００２】
エレクトロレオロジー流体（Ｅｌｅｃｔｒｏｒｈｅｏｌｏｇｉｃａｌ  Ｆｌｕｉｄ、以下「ＥＲ流体」という。）とは、外部からの電界に応答して粘度や応力等のレオロジー的性質が変化する流体であり、クラッチ、バルブ、ダンパー、アクチュエータ等、様々な装置への応用が期待されている。
【０００３】
ＥＲ流体の典型的な構成は、固体粒子が絶縁性の液体に分散された構成であり、これに電圧が印加されるとこの方向に沿って固体粒子の鎖状構造体（以下「ブリッジ」という。）が複数形成され、このブリッジ間の引力により流体の粘性等のレオロジー的性質が変化することとなる。このブリッジが形成される機構は十分に解明されているとはいえないが次のように考えられている。すなわち、液体中に存在する水分の影響により固体粒子表面のイオン解離基が解離して電気二重層が形成される。一方、電圧が印加されることより形成される電界によりこの電気二重層が歪むことで固体粒子同士が電気的に引き合うこととなり、レオロジー的性質が変化する、と考えられている。
【０００４】
ところで、ＥＲ流体を表示装置に用いることも提案されている。例えば下記非特許文献１には、一対の電極間にＥＲ流体を挟み、電圧を印加した場合の光透過性と電圧を印加しない場合の光透過性の差とを利用して調光する調光素子が開示されている。また、同様の作用を利用した表示装置として、ＥＲ流体を挟む２枚の透明板の一方の片側面全面に透明電極を配置し、他方の透明板の片側面には枠状の透明電極を配置した表示装置も提案されている（特許文献１）。さらに特許文献２には、互いに向かい合う透明な一対の面の間にＥＲ流体を保持するセルが３層、積層されてなるカラー表示装置が開示されている。
【０００５】
ＥＲ流体を用いた表示装置としては、いわゆる反射型表示方式のものと、透過型表示方式のものとが各々構成し得る。一方、近年は紙のような読みやすさを備えた電子ペーパーと呼ばれる範疇の表示装置の開発が重視されている。反射型表示方式は、透過型表示方式に比べて使用場所の明るさに自動的に追従して読みやすい明るさを提供でき、また発光のための電力を必要としない点で省電力であるためどこでも使いやすく読みやすい電子ペーパー実現のために有利であるとされている。ＥＲ流体は表示材料として適切に用いることにより、優れた反射型表示装置を実現できる可能性があることから電子ペーパー実現のための候補材料としても有望であるとされている。
【０００６】
前記従来技術では、ＥＲ流体を挟んで向かい合う一対の電極間に電圧を印加して電界を生じさせて電界方向に沿ってＥＲ流体中の固体粒子にブリッジを形成させることで画像表示を行う状態（以下、「書き込み状態」と称する場合がある）とする。一方、画像を消去する場合は、電圧の印加を停止することで固体粒子を分散させる。
【０００７】
【非特許文献１】Ｊｏｕｒｎａｌ  ｏｆ  ｃｏｌｌｏｉｄ  ａｎｄ  ＩｎｔｅｒｆａｃｅＳｃｉｅｎｃｅ、１９９６年、第１７７号、２５０〜２５６頁
【特許文献１】特開２００６−６５２４８号公報
【特許文献２】特開平８−１２９１９４号公報
【発明の開示】
【発明が解決しようとする課題】
【０００８】
ところで特許文献１による従来技術では、表示面の反対（底面）側に着色層を配置し、無色透明の絶縁性の液体中で固体粒子の挙動を変化させて表示を切り替えるため、高いコントラストが得られにくい。また、ＥＲ流体中の固体粒子を分散させて画像を消去するが、固体粒子の分散は主としてブラウン運動によるので、固体粒子を分散させて画像を消去するためにはある程度の時間がかかる。さらに、一旦、ブリッジを形成した固体粒子を完全に分散させることは困難であり、異なる画像を繰り返し表示させることが難しく、書き込み耐久性が良好でない。
【０００９】
一方、特許文献２の表示装置では、表面層を着色した固体粒子を用いるために固体粒子を小さくすることが難しくなる。このため、固体粒子の動きが遅くなったり、ＥＲ流体層を厚くして表示装置を大きくせざるを得ない場合が生じるといった問題もある。また、表面層を均一にコーティングすることは困難で、固体粒子の劣化も早くなる。
【００１０】
本発明は上記課題に対し、コントラストを改善し、固体粒子を大きくすることを回避して、応答特性及び書き込み耐性に優れた表示装置を提供することを目的とする。
【課題を解決するための手段】
【００１１】
本発明者らは、上記課題について鋭意検討を行った結果、ＥＲ流体の媒体を着色することで、コントラストを良好にし、固体粒子を肥大化させることによる不都合を防止して表示装置を軽薄化に寄与することを想到し、本発明を完成させた。さらに、ＥＲ流体を挟む一対の基板それぞれの面に平行な電界を発生させる一対の電極を２組（すなわち、第一の電極対と第二の電極対）設けることで、優れた応答特性及び書き込み耐性を実現することができることを想到し、本発明を完成するに至った。
【００１２】
すなわち、本発明の一手段にかかる表示装置は、対向して配置される第一の基板及び第二の基板と、前記第一の基板と前記第二の基板との間に保持されるエレクトロレオロジー流体と、を有する表示装置であって、前記エレクトロレオロジー流体は、有色の絶縁性の液体中に固体粒子を含有していることを特徴とする。
【００１３】
また、この手段において、前記エレクトロレオロジー流体に電圧を印加することにより、前記固体粒子に前記第一の基板側でブリッジを形成させる第一の電界発生手段と、前記エレクトロレオロジー流体層に電圧を印加することにより、前記固体粒子に前記第二の基板側でブリッジを形成させる第二の電界発生手段と、をさらに有することも望ましい。
【００１４】
またさらにこの手段において、前記第一の電界発生手段は、前記第一の基板の片側面であって前記エレクトロレオロジー流体に面する内側面に設けられる一対の電極（第一の電極対）を有し、前記第二の電界発生手段は、前記第二の基板の片側面であって前記エレクトロレオロジー流体に面する内側面に設けられる一対の電極（第二の電極対）を有することも望ましい。
【発明の効果】
【００１５】
以上、本発明により、応答特性、書き込み耐性、及びコントラストに優れ、軽薄化が可能な表示装置を提供することができる。
【発明を実施するための最良の形態】
【００１６】
以下、本発明の実施の形態について、図面を用いて詳細に説明する。なお、本発明は多くの異なる形態による実施が可能であり、以下に示す実施形態、実施例に限定されないことはいうまでもない。
【００１７】
図１は、本実施形態に係る表示装置（以下「本表示装置」という。）の構成の概略を示す図である。本表示装置１は、対向して配置される第一の基板２及び第二の基板３（以下、第一の基板２と第二の基板３とをあわせて「一対の基板」ともいう。）と、この一対の基板の間に挟まれたスペーサ４が切り抜かれて形成された表示セル１１内に保持されたエレクトロレオロジー流体（ＥＲ流体）５と、を有する。図２は、図１において破線で囲った部分Ｗを拡大した図であり、表示セル１１のひとつを示す外観斜視図である。図３は、図２の表示セル１１の分解斜視図である。
【００１８】
本実施形態にかかる第一の基板２、第二の基板３としては、透明である限りにおいて特段に制限は無く、材質としては例えばガラス、及び合成樹脂（プラスチック）が挙げられる。プラスチックの材料も特に制限はないが、ポリカーボネート樹脂、アクリル樹脂等の透明性を有するプラスチックを好適に採用することができる。本表示装置１はいわゆる反射型であり、第一の基板２又は第二の基板３の少なくとも一方が透明であればよい。
【００１９】
図１〜３に示すように、第一の基板２と第二の基板３との間には、両者間の距離を所望の厚さに保つためにスペーサ４が配置されている。本実施形態ではスペーサ４は複数の矩形の切抜き部４１が形成された板状となっており、各切抜き部４１にＥＲ流体５が充填されている。切り抜き部４１は略正方形状であり、ＥＲ流体５が充填された各切抜き部４１は本実施態様では表示セル（画素）１１として機能する。なお図１では、説明の便宜のため表示セル１１の間隔を広く描いている。
【００２０】
スペーサ４の材質は特に限定されず有機物、又は無機物のどちらの材料を用いてもよいが、ＥＲ流体５に印加される電界を弱めない程度に絶縁性を有していることが望ましい。具体的には、有機物としてポリウレタン、ポリエチレン、ポリスチレン等の合成樹脂が挙げられる。無機物系のスペーサ４の材料としては、ＳｉＯ２等が挙げられる。スペーサ４の形状は本実施形態では板状であるが、一対の基板間の距離を所望の厚さに保つことができる限りにおいて特段に制限はなく、例えば、球状スペーサ、柱状のスペーサであってもよい。また、スペーサ４の厚さは、印加する電圧等によって適宜調整が可能であるが、概ね１００μｍ〜５ｍｍ程度であることが好ましい。さらに、後述するようにシリコーン流体をスペーサ４として用いてもよい。
【００２１】
スペーサ４の切り抜き部４１内部にはＥＲ流体５が充填され、これにより第一の基板２と第二の基板３との間にＥＲ流体層が形成されている。ＥＲ流体５は、電圧を印加して電界を生じさせることでレオロジー特性が変化する流動体であれば特段に制限されるものではないが、固体粒子５ａとこの固体粒子５ａを分散させる媒体として絶縁性の液体５ｂとを含む（後述する図４〜６参照）。
【００２２】
本表示装置１では固体粒子５ａを分散させる絶縁性の液体５ｂとして有色のものを用いる。ここで、本明細書において「有色」とは、無色透明以外で、且つ、白色以外を意味し、黒、及び灰色を含むものとする。絶縁性の液体５ｂは有色不透明であっても有色透明であってもよい。
【００２３】
固体粒子５ａは、絶縁性の液体５ｂ中で電界に反応して移動し、電界方向にブリッジを形成できる粒子であれば特に限定されない。固体粒子５ａの具体例としては、シリカ、セルロース、でんぷん、酸化チタン、二酸化チタン、水酸化チタン等を挙げられる。更には、例えば「工業材料（１９９４年、第１４２巻、第三号、１０４〜１０６頁）」に掲載されているような無機・有機複合粒子も用いることができる。
【００２４】
固体粒子５ａはそれ自体がある特定の波長の光を吸収して色を有するように見えるものでもよいが、本表示装置１では絶縁性の液体５ｂが有色とされていることから、固体粒子５ａは光を反射して白く見えるものを用いることが好ましい。光を反射して白く見える個体粒子５ａとしては、酸化チタン、酸化ケイ素等があり、特に酸化チタンは光をよく反射するため、コントラストを向上させるため、好適に用いることができる。また、固体粒子５ａの表面に金属をコーティングしてより光を反射するようにしてもよい。
【００２５】
固体粒子５ａは、電圧が印加されて電界が形成された場合に速やかに液体５ｂ中を移動して電界方向に沿ったブリッジを形成できることが好ましく、固体粒子の大きさは特段限定されるわけではないが、概ね５μｍ〜２０μｍの範囲内にあることが好ましい。
【００２６】
絶縁性の液体５ｂも特に限定されないが、例えば、フッ素系不活性液体、脂肪族飽和炭化水素、シリコーンオイル、流動パラフィン等を好適に用いることができる。絶縁性の液体５ｂとして有色のものを用いれば着色する必要はないが、上記例示に係る物質のように無色透明である場合は染料や顔料等の着色剤で着色する。
【００２７】
着色剤は、特に限定されるものではないが絶縁性の液体５ｂの電気的特性を変化させないよう、絶縁性のものを用いることが好ましい。また、着色剤が液体５ｂ中で塊状になると固体粒子５ａの挙動に影響を与えるおそれがあるため、液体５ｂへの溶解性に優れるものを用いることが好ましく、例えば色材が溶媒に溶けている染料の方が顔料より好ましい。着色する色としては、赤、青、緑、及び黒のいずれかとすることが典型的である。着色剤の具体例としては、赤系の染料としてコンゴーレッド、青系の染料としてフタロシアニンブルー、オイルブルー、緑系の染料としてフタロシアニングリーン、及び黒系の染料としてアニリン・ブラック等が挙げられる。着色剤の濃度は、０．００１〜０．５重量％とすることが好ましい。
【００２８】
図４〜図６は、第一の電界及び第二の電界を発生させることによる画像の書き込み及び消去状態を説明するための図であり、表示セル１１のひとつを図２のＡ−Ａ´線方向で切断した場合の断面模式図である。
【００２９】
図３〜図６に示すように、各表示セル１１には第一の基板２の片側表面、具体的にはＥＲ流体と接する面（以下、「内側面」２ａ）に沿って第一の電極対を構成する電極２１ａと電極２１ｂとが設けられている。本実施形態においては、同一構成の一対の電極の一方をプラス側に接続して第一の電極対の一方の電極２１ａとして使用し、他方をマイナス側に接続して第一の電極対の他方の電極２１ｂとして使用している。第一の電極対の電極２１ａ及び２１ｂは、正方形の切り抜き部４１の互いに向かい合う一対の辺に沿ってほぼ平行に配置されている。両電極２１ａ、２１ｂの間は、本実施形態ではこれらの電極２１ａ、２１ｂに平行な長辺を有する略長方形状をなす。固体粒子５ａは、後述する電界発生時において第一の基板２の内側面２ａのこの矩形状部分に集まってブリッジを形成する。第一の電極対の電極２１ａと電極２１ｂとは、第一の電源２６を有する回路配線２５で接続され、第一の電界発生手段２１を構成している。
【００３０】
図５は、回路配線２５の途中に設けられた第一のスイッチＳ１を入れることにより、第一の電極対の電極２１ａと電極２１ｂとの間に電界を発生させた状態を示す図である。第一の電源２６から電圧を加えることで、第一の電極対の電極２１ａと電極２１ｂとの間に電界が形成される。これにより、電圧を印加していない状態（図４に示す状態）において分散状態であった固体粒子５ａは、図５に示すように、第一の基板２側に分極してブリッジを形成する。より詳細には、固体粒子５ａは、第一の基板２の内側面２ａであって第一の電極対の一方である電極２１ａと他方である電極２１ｂとの間の長方形状の部分を覆う面をなすようにブリッジを形成する。
【００３１】
同様に、第二の基板３の片側表面であってＥＲ流体と接する面（以下、「内側面」３ａ）に沿って第二の電極対を構成する電極３１ａと電極３１ｂとが設けられている。第二の電極対の電極３１ａと電極３１ｂは、第一の電極対の電極２１ａ、２１ｂと同様の構成である。第二の電極対の電極３１ａ及び電極３１ｂは、正方形の切り抜き部４１の互いに向かい合う一対の辺に沿ってほぼ平行に配置されている。両電極３１ａ、３１ｂの間は、本実施形態ではこれらの電極３１ａ、３１ｂに平行に延びる長辺を有する略長方形状をなす。第二の電極対の電極３１ａと電極３１ｂとは、第二の電源３６を有する回路配線３５で接続され、第二の電界発生手段３１を構成している。
【００３２】
図６は、回路配線３５の途中に設けられた第二のスイッチＳ２を入れることにより、第二の電極対の電極３１ａと電極３１ｂとの間に電界を発生させた状態を示す図である。第二の電源３６から電圧を加えることで、第二の電極対の電極３１ａと電極３１ｂとの間に電界が形成される。これにより、図６に示すように、固体粒子５ａは第二の基板３側に分極し、第二の基板３の内側面３ａであって第二の電極対の電極３１ａと電極３１ｂとの間の長方形状の部分を覆う面をなすようにブリッジを形成する。
【００３３】
このように、本表示装置１では画像の書き込みを行う場合は、第一の電極対を構成する電極２１ａと電極２１ｂとの間に電界を発生させ、第一の基板２内側面２ａに沿って固体粒子５ａを集めてブリッジを形成させる。これにより、基板２内側面２ａに対向する面であって表示面となる基板２の外側面２ｂから表示セル１１に照射される光は、ブリッジを形成した固体粒子５ａに反射される。したがって、基板の外側面２ｂを表示面として表示セル１１を見る観察者Ｘには、表示セル１１は反射のために白く見える。
【００３４】
一方、第一のスイッチＳ１を切り第一の電源２６からの電圧印加を停止すると、第一の電極対を構成する電極２１ａと電極２１ｂとの間での電界形成が停止される。このため、第一の基板２内側面２ａに沿って形成されたブリッジは消滅し、第一の基板２に沿って起こっていた反射もなくなる。ここで、第一のスイッチＳ１を切ると同時に、第二のスイッチＳ２を入れて第二の電源３６から電圧を印加すれば、第二の電極対を構成する電極３１ａと電極３１ｂとの間に電界が生じる。この場合は、第二の基板３内側面３ａに沿って固体粒子５ａが集まりブリッジを形成する。したがって有色の絶縁性の液体５ｂが見えるようになり、絶縁性の液体５ｂの色が観察者Ｘに視認される。
【００３５】
前述のように従来は絶縁性の液体は無色透明であったが、本表示装置１では、絶縁性の液体５ｂを有色としているため、固体粒子５ａを着色する必要がなく、固体粒子５ａの流径を小さくできる。流径の小さな固体粒子５ａは液体５ｂ中で速やかに移動できるため、本表示装置１は応答特性が改善される。
【００３６】
また、電界発生手段２１、３１を第一の基板２、及び第二の基板３それぞれに設けることにより、対向する一対の基板２、３のそれぞれの側に固体粒子５ａを分極させる。これにより固体粒子５ａは第一の基板２又は第二の基板３のどちらかの内側面に沿ってブリッジを形成するため、コントラストをより高めることができる。すなわち、第一の基板又は第二の基板のいずれか一方の外側面に沿って反射板を配置する従来の反射型表示装置（図１２参照）では、固体粒子により光が反射される状態（すなわち反射板の色は見えずに固体粒子の反射光、例えば白色が見える状態）でも十分な反射率が得られない。これは、従来の反射型表示装置では光の反射はブラウン運動により散らばった固体粒子の反射で行われるために、固体粒子の隙間から抜ける光も多いためと推察される。これに対し本発明では、固体粒子が第一の基板２又は第二の基板３のどちらかに沿ってブリッジを形成して面状に広がるため、十分な反射率が得られ、コントラストが改善される。
【００３７】
また、表示切替えの際には、一端ブリッジを形成した固体粒子５ａを電界によって反対側の基板側に強制的に移動させることができる。したがって、ブラウン運動を利用してＥＲ流体５の層全体に固体粒子５ａを再分散させて表示切替えを行う従来技術に比し、応答特性がより改善され、書き込み耐性も向上する。
【００３８】
また、従来技術では図１１に示すように第一の基板２と第二の基板３とが向かい合う方向と同じ方向で向かい合う一対の電極Ｄ、Ｄ´を配置していた。そして、これら電極間Ｄ、Ｄ´を結ぶ回路配線Ｃの途中に設けた電源Ｖから電気を供給してＥＲ流体に電圧を印加していた。このため、固体粒子５ａは表示面となる基板２、３の面に対して垂直に並んでブリッジを形成する。
【００３９】
なお、図１１の表示装置１´は透過型であり、第一の基板２及び第二の基板３は、本発明に係る表示装置１の第一の基板２及び第二の基板３と同様、透明で、電極Ｄ、Ｄ´はこれら透明な基板２、３の一方の面に設けられた透明電極である。このような透過型の表示装置１´はバックライトを要する一方、従来技術によりバックライトの不要な反射型の表示装置を構成する場合、表示面となる基板（例えば第一の基板２）と反対側にある基板（第２の基板３）の外側面（すなわち、ＥＲ流体と接さない側の面）に沿って反射板Ｒを配置する必要がある（図１２参照）。
【００４０】
このため、従来技術によればバックライトの不要な反射型の表示装置を構成するためには、反射板Ｒが必要になることに加え、上述したとおり反射率も十分でない。これに対し、本発明によれば反射板Ｒを配置することなく、バックライトの不要な反射型の表示装置を構成でき、上述したとおり固体粒子５ａは表示面となる基板２、３の面に沿って並ぶため、反射面が大きくコントラストも改善される。
【００４１】
このような表示装置は、次のような手順で作成できる。まず、ガラス板等の透明な絶縁性材料で作られた一対の基板を用意する。それぞれの基板の片側表面には、透明導電膜等で電極を形成する。電極対を構成する一対の電極は同じ材料で形成することができ、例えば透明性と導電性を備える透明導電膜等で形成される。具体的には、酸化インジウムにスズを添加した酸化インジウム・スズ（ＩＴＯ）膜、酸化亜鉛に酸化アルミニウムや酸化ガリウムを添加した膜、酸化スズに酸化アンチモンやフッ素を添加した膜等を材料とし、これらを基板の片側表面に膜状に蒸着させて電極を形成できる。
【００４２】
一対の基板は、電極が形成された面同士が向かい合うように配置し、間に表示セルとなる複数の切込み部等を設けたスペーサを介して互いに接合して一体化する。この際、切込み部内にＥＲ流体を注入する。ＥＲ流体は、表示セルとなる切込み部内に空気が存在しないように注入する。このようにしてＥＲ流体が水密的に封入された一対の基板は、電極に電圧をかける電源と接続し、電圧印加により表示を行う表示装置となす。
【００４３】
図７及び図８は、本表示装置１についての電源配線の一例を示す。図７は、第一の基板２における配線構造の等価回路を示す図であり、図８は、第二の基板３における配線構造の等価回路を示す図である。
【００４４】
第一の基板２及び第二の基板３はそれぞれ、他方の基板と向かい合う側（内側）の面２ａ、３ａに、複数の走査配線６６及び複数の信号配線６５、これら走査配線と信号配線のそれぞれが交差して形成されるセルのそれぞれに設けられる複数のトランジスタ６７、及び１サイクルの走査期間中に電圧を保持する蓄積容量６８を有する。この例では、一つの表示セル１１内に設けられる一電極対の一方の電極２１ａ（又は３１ａ）にはトランジスタを介してプラス電源が接続され、他方の電極２１ｂ（又は３１ｂ）はグランド接続されている。このように構成することにより、電極２１ａと電極２１ｂ（又は電極３１ａと電極３１ｂ）とに接続されたトランジスタ６７をＯｎ−Ｏｆｆすることにより、第一の基板２（又は第二の基板３）に沿って電界を発生させたり、電界発生を停止させたりできる。また、上記複数の走査配線及び複数の信号配線は、基板の周辺部に形成される周辺回路、別のテープ基板などに配置されるドライバ回路と接続することで制御できる。
【００４５】
なお、本実施態様では、第一の電極対の一方の電極２１ａと第二の電極対の一方の電極３１ａとはスペーサ４を挟んで対向し、第一の電極対の他方の電極２１ｂと第二の電極の他方の電極３１ｂともスペーサ４を挟んで対向している。しかし、電極対の一方の電極２１ａ、３１a同士、及び電極対の他方の電極２１ｂ、３１ｂ同士は必ずしも対向する必要はない。このように本実施形態に係る表示装置は、上記構成を採用する限りにおいて様々な態様で構成できる。
【００４６】
図９は、本発明の他の実施形態に係る表示装置１０の製造途中を示す。この表示装置１０では、ＥＲ流体として赤系、青系、及び青系の３種類を用い、さらに板状スペーサに代えて絶縁性のシール剤を用いた点で前記実施形態に係る表示装置１と異なる。具体的には、第一の基板２及び第二の基板３の間に、これら基板の周縁に沿って枠状にシール剤Ｊを塗布し、さらにシール剤Ｊで枠内を複数の列に仕切る。このようにシール剤により仕切られた列には赤色に着色した絶縁性の液体、青色に着色した絶縁性の液体、及び緑色に着色した絶縁性の液体をそれぞれ含むＥＲ流体の列を繰り返し並列に配置する。この例では、赤色絶縁性液体を含む赤色表示セル列１１Ｒ、青色絶縁性液体を含む青色表示セル列１１Ｂ、及び緑色絶縁性液体を含む緑色表示セル列１１Ｇを繰り返し並列配置することで、フルカラー表示を可能としている。なおＥＲ流体は、シール剤で構成した枠の一部に切れ目を形成し、この切れ目を注入口Ｉとして注入することができる。
【実施例】
【００４７】
[実施例]
以下、上記実施形態の実施例について具体的に説明する。本実施例では、わかりやすくするために一表示セルの表示装置１２について作成し、評価した。実施例で作成した一表示セルの表示装置１２を図１０に示す。
【００４８】
まず、基板として、１０ｍｍ×１０ｍｍのガラス基板（厚さ１ｍｍ）２枚を用い、３ｍｍ×３ｍｍの矩形の切抜き部４１を有する厚さ３ｍｍのシリコーンゴム製のスペーサ４を挟み込み、この切抜き部４１に染料で青色に着色したＥＲ流体５を流し込んで一体化してＥＲ流体５を密封した。ＥＲ流体としては、絶縁性の液体としてシリコーンオイル（ＴＳＦ４５１−１０（登録商標）、ＧＥ東芝シリコーン製）を約２８４ｇ、固体粒子として水酸化チタン粒子約１６ｇを含む流体を用いた。
【００４９】
シリコーンオイルは、透明のものを、濃度９７％の青色染料（Ｏｉｌ  Ｂｌｕｅ  Ｎ、Ａｌｄｒｉｃｈ  Ｃｈｅｍ製）で染料濃度が０．０４重量％となるように着色して用いた。また、水酸化チタン粒子の平均粒径は１５μｍであった。
【００５０】
一対のガラス基板は、互いに向かい合う面（内側面）にＩＴＯを蒸着し、中央部分をエッチングして幅３ｍｍの長方形状の部分を形成した。この表示装置１２では、ＩＴＯを蒸着した部分のうち、長方形状部分を境にした一方の側は一対の電極の一方、他方の側は一対の電極の他方として機能し、長方形状部分に電界が形成される。（以下、長方形状部分を「電界形成部」と称する場合がある）。実施例では図１０に示すように、第一の電極対及び第二の電極対の一方の電極２１ｂ及び電極３１ｂを接地するとともに、第一の電極対及び第二の電極対の他方の電極２１ａ及び電極３１ａのどちらか一方に電圧を印加する回路構成とした。
【００５１】
上記の表示装置１２に対し、直流電源を用いて７５０Ｖ／ｍｍで電圧を印加し、第一の基板２の内側面２ａ又は第二の基板３の内側面３ａの電界形成部分に交互に電界を生じさせた。第一の基板２の内側面２ａ側に電界を発生させた場合を「前面反射状態」、第二の基板３の内側面３ａ側に電界を発生させた場合を「後面反射状態」として、第一の基板２外側面を表示面として、表示装置１２の反射濃度をそれぞれの状態について測定（Ｍａｃｂｅｔｈ社製ＲＤ−９１４を使用）した。なお、「後面反射状態」であっても、絶縁性の液体５ｂが有色不透明の場合や、有色透明であっても着色剤の濃度が高い場合には入射した光が第二の基板３の内側面３ａの位置まで届かないケースもある。このため、「後面反射状態」とは必ずしも入射光が第二の基板３の内側面３ａに反射される状態を意味するものではないが、ここでは第二の基板３の内側面３ａに電界を発生させて粒子５ａにブリッジ形成させる状態を「後面反射状態」と称するものとする。
【００５２】
測定の結果、前面反射状態における表示装置１２の反射濃度は０．９６、後面反射状態における表示装置１２の反射濃度は１．９８で、両者の間には１．０２の反射濃度差が得られた。
【００５３】
［比較例］
比較例として、絶縁性の流体を着色せずに用いた実験を行った。比較例では図１１の従来例の表示装置１´に反射板を設けることにより、図１２に示す反射型表示装置１”とした。具体的には、一対の基板のそれぞれの片側面の全面にＩＴＯを蒸着して、一対の基板が向かい合う方向で向かい合う電極Ｄ、Ｄ´を設けた。これにより、比較例では実施例と直交する方向、すなわち基板の面に直交する方向に電界が形成されるようにした。また、比較例では第二の基板３の外側面に接して青色の着色反射板Ｒを配置した。その他の条件は実施例と同様にして、電圧を印加することにより反射板Ｒに光が反射して戻る状態（以下、便宜上「反射状態」称する）と、電圧を印加せずに固体粒子が分散して光が固体粒子によって反射される状態（以下、便宜上「散乱状態」と称する）とにおける反射濃度を測定した。
【００５４】
比較例では、反射状態の反射濃度は０．８５、分散状態の反射濃度は１．４１で、反射状態と分散状態との反射濃度差は０．５６であった。また、実施例では、スイッチを切り替えることにより直ちに反射状態と分散状態とを切り替えることができたが、比較例では反射状態から分散状態に移行するまでに、実施例に比して約１秒の遅れがあった。
【００５５】
以上、本実施例に係る表示装置は、改善されたコントラスト及び応答特性を有することが確認された。
【産業上の利用可能性】
【００５６】
本発明は、種々の表示装置に適用が可能であり、限定されるわけではないが、例えば、パソコン、携帯電話やモバイル端末などのディスプレイ装置、電子ペーパー等に適用可能である。
【図面の簡単な説明】
【００５７】
【図１】一実施形態に係る表示装置の全体構成の概略を示す図。
【図２】前記実施形態に係る表示装置の一つの表示セルの拡大図。
【図３】前記表示セルの分解斜視図。
【図４】無電界状態での前記表示セルのＡ−Ａ´線断面模式図。
【図５】電圧印加状態での前記表示セルのＡ−Ａ´線断面模式図。
【図６】電圧印加状態での前記表示セルのＡ−Ａ´線断面模式図。
【図７】前記実施形態に係る表示装置の一方の基板の配線例を示す図。
【図８】前記実施形態に係る表示装置の他方の基板の配線例を示す図。
【図９】別の実施形態に係る表示装置の製造途中の状態を示す図。
【図１０】実施例で作成した一表示セルの表示装置の構成を示す図。
【図１１】従来例に係る表示装置を示す図。
【図１２】比較例に係る表示装置を示す図。
【符号の説明】
【００５８】
１、１０、１２  表示装置
２              第一の基板
３              第二の基板
４              スペーサ
５              ＥＲ流体
５ａ            固体粒子
５ｂ            有色の絶縁性の液体
４１            切抜き部
２１            第一の電界発生手段
２１ａ          電極（第一の電極対の一方）
２１ｂ          電極（第一の電極対の他方）
３１            第二の電界発生手段
３１ａ          電極（第二の電極対の一方）
３１ｂ          電極（第二の電極対の他方）
【図１】
2008096524.tif 000003
【図２】
2008096524.tif 000004
【図４】
2008096524.tif 000005
【図５】
2008096524.tif 000006
【図６】
2008096524.tif 000007
【図７】
2008096524.tif 000008
【図８】
2008096524.tif 000009
【図１０】
2008096524.tif 000010
【図１１】
2008096524.tif 000011
【図１２】
2008096524.tif 000012
【図３】
2008096524.tif 000013
【図９】
2008096524.tif 000014